(57)【要約】【課題】径方向に分割された半管状部同士を接合する軸方向に延びる接合突部を設けながらも、接続フランジ部のボルト孔に挿通されるボルトの締結性を向上し得る管状体を提供する。【解決手段】径方向に分割された２つの半管状部１０，２０同士が接合され、ボルト孔１７ｂが設けられた接続フランジ部１７を少なくとも一端部に有した管状体１であって、前記２つの半管状部の周方向両縁部には、径方向に突出し軸方向に延びる接合突部１２，１３，２２，２３が設けられており、これら半管状部の周方向両側のうちの少なくとも一方側のそれぞれの接合突部１３，２３は、これらが突き合わせられて形成される接合部３が前記接続フランジ部のボルト孔近傍の所定範囲において該ボルト孔に挿通されるボルト７を締結する工具に干渉しないように中心軸５を通る半割仮想面６からずれるように屈曲されている。【選択図】図１
2018054059.tif 000002
【特許請求の範囲】
【請求項１】
径方向に分割された２つの半管状部同士が接合され、ボルト孔が設けられた接続フランジ部を少なくとも一端部に有した管状体であって、
前記２つの半管状部の周方向両縁部には、径方向に突出し軸方向に延びる接合突部が設けられており、
これら半管状部の周方向両側のうちの少なくとも一方側のそれぞれの接合突部は、これらが突き合わせられて形成される接合部が前記接続フランジ部のボルト孔近傍の所定範囲において該ボルト孔に挿通されるボルトを締結する工具に干渉しないように中心軸を通る半割仮想面からずれるように屈曲されていることを特徴とする管状体。
【請求項２】
請求項１において、
前記接合突部の屈曲された部位は、前記２つの半管状部のうちの一方の半管状部の周方向縁部を他の部位よりも接線方向に延出させ、かつ他方の半管状部の周方向縁部を他の部位よりも周方向に凹ませるようにして形成されており、
前記他方の半管状部の凹ませられた周方向縁部の内周側には、前記一方の半管状部の接線方向に延出された部位の内周面に沿うように配され、かつこれら半管状部の他の部位の内周面に連なるような内周面を構成する突片部が設けられていることを特徴とする管状体。
【請求項３】
請求項１または２において、
前記接続フランジ部は、前記２つの半管状部のうちのいずれか一方の半管状部に一体的に設けられていることを特徴とする管状体。
【発明の詳細な説明】
【技術分野】
【０００１】
本発明は、管状体に関する。
【背景技術】
【０００２】
従来より、射出成形等によって一体的に成形し難い屈曲部を有した樹脂製の管状体としては、径方向に分割された半管状部同士が接合されたものが知られている。
例えば、下記特許文献１には、半管体の周方向の両端に沿って延在されたフランジ同士を接合して形成された管状体が開示されている。
【先行技術文献】
【特許文献】
【０００３】
【特許文献１】特許第５４４４９２６号公報
【発明の概要】
【発明が解決しようとする課題】
【０００４】
ところで、このような管状体の軸方向（長手方向）の端部には、接続対象に接続するためのボルト孔が設けられた接続フランジ部が設けられる場合が多々ある。上記のような半管体の周方向の両端に接合部を構成するフランジを設けたものでは、このフランジが接続フランジ部のボルト孔の軸上に位置すれば、ボルトを締結し難くなることが考えられ、更なる改善が望まれる。
【０００５】
本発明は、上記実情に鑑みなされたものであり、径方向に分割された半管状部同士を接合する軸方向に延びる接合突部を設けながらも、接続フランジ部のボルト孔に挿通されるボルトの締結性を向上し得る管状体を提供することを目的としている。
【課題を解決するための手段】
【０００６】
前記目的を達成するために、本発明に係る管状体は、径方向に分割された２つの半管状部同士が接合され、ボルト孔が設けられた接続フランジ部を少なくとも一端部に有した管状体であって、前記２つの半管状部の周方向両縁部には、径方向に突出し軸方向に延びる接合突部が設けられており、これら半管状部の周方向両側のうちの少なくとも一方側のそれぞれの接合突部は、これらが突き合わせられて形成される接合部が前記接続フランジ部のボルト孔近傍の所定範囲において該ボルト孔に挿通されるボルトを締結する工具に干渉しないように中心軸を通る半割仮想面からずれるように屈曲されていることを特徴とする。
【０００７】
本発明によれば、径方向に分割された２つの半管状部の周方向両縁部に設けられた接合突部同士が突き合わせられて接合部が形成されるので、このような接合突部を設けていないものと比べて接合強度を向上させることができる。また、これら半管状部の周方向両側のうちの少なくとも一方側のそれぞれの接合突部が上記のように屈曲されている。従って、管状体自体の屈曲に応じて、各半管状部を成形し易いように設定される金型の分割面（パーティングライン）、つまり、半管状部同士の半割仮想面に概ね応じた位置やその近傍部位に接続フランジ部のボルト孔を設ける必要がある場合にも、接続フランジ部を接続対象に接続するボルトを締結する際に接合突部に工具が干渉し難くなり、締結性を向上させることができる。換言すれば、接続対象との関係で定められる接続フランジ部のボルト孔の軸上に接合部が位置しないように、各半管状部の成形性の観点等から接合部を軸方向の全体に亘って周方向にずらし難いような場合にも、接続フランジ部のボルト孔近傍の所定範囲の接合部を他の部位から屈曲させてずらすことで対応することができる。
【０００８】
また、本発明においては、前記接合突部の屈曲された部位を、前記２つの半管状部のうちの一方の半管状部の周方向縁部を他の部位よりも接線方向に延出させ、かつ他方の半管状部の周方向縁部を他の部位よりも周方向に凹ませるようにして形成された構成としてもよい。また、前記他方の半管状部の凹ませられた周方向縁部の内周側に、前記一方の半管状部の接線方向に延出された部位の内周面に沿うように配され、かつこれら半管状部の他の部位の内周面に連なるような内周面を構成する突片部を設けた構成としてもよい。
本発明によれば、一方の半管状部における接線方向に延出されて他の部位よりも拡径部となる内周側部位を、他方の半管状部に設けられた突片部によって埋めることができ、管状体内において圧力損失が生じるようなことを抑制することができる。
【０００９】
また、本発明においては、前記接続フランジ部を、前記２つの半管状部のうちのいずれか一方の半管状部に一体的に設けた構成としてもよい。
本発明によれば、２つの半管状部の接合部が接続フランジ部に位置しないので、接続フランジ部の接続対象側に向く面における段差等の発生を抑制することができる。
【発明の効果】
【００１０】
本発明に係る管状体は、上述のような構成としたことで、径方向に分割された半管状部同士を接合する軸方向に延びる接合突部を設けながらも、接続フランジ部のボルト孔に挿通されるボルトの締結性を向上させることができる。
【図面の簡単な説明】
【００１１】
【図１】本発明の一実施形態に係る管状体の一例を模式的に示す概略斜視図である。
【図２】同管状体を模式的に示す図１に対応させた概略分解斜視図である。
【図３】（ａ）は、同管状体を模式的に示す概略正面図、（ｂ）は、図１におけるＸ１−Ｘ１線矢視に対応させた一部破断概略縦断面図である。
【図４】（ａ）は、図１におけるＸ２−Ｘ２線矢視に対応させた概略縦断面図、（ｂ）は、（ａ）に対応させた概略分解縦断面図である。
【発明を実施するための形態】
【００１２】
以下に、本発明の実施の形態について、図面を参照しながら説明する。
本実施形態に係る管状体１は、図１及び図２に示すように、径方向に分割された２つの半管状部１０，２０同士が接合され、ボルト孔１７ｂが設けられた接続フランジ部１７を少なくとも一端部に有した構成とされている。本実施形態では、管状体１は、軸方向一端部に第１接続フランジ部１７を設け、軸方向他端部に第２接続フランジ部１９を設けた構成とされている。つまり、管状体１は、軸方向（長手方向）両端部のそれぞれに接続フランジ部１７，１９を設けた構成とされている。
この管状体１は、気体や液体等の種々の流体を流通させる管路として配設されるものでもよい。例えば、この管状体１を、エンジン冷却水管やインテークマニホールド等として自動車等の車両に用いられるものとしてもよい。また、管状体１としては、このような車両用に限られず、例えば、ガス等の設備機器や、水回り設備機器の配管等として用いられるものでもよい。
【００１３】
また、管状体１は、図１に示すように、直管（ストレート管）状ではなく、軸方向途中部位において屈曲（湾曲）されて少なくとも１つのコーナー部（屈曲部）を有した屈曲管状とされている。このように屈曲されて少なくとも軸方向一端部に接続フランジ部１７を有した管状体１は、一体的には成形困難な構成とされている。図例では、この管状体１を、軸方向両端側の各接続フランジ部１７，１９が同方向を向く構成とされた２つのコーナー部を有する１８０度エルボ管状とした例を示している。つまり、これら接続フランジ部１７，１９の接続対象側に向く面が互いに平行状とされている。また、管状体１の軸方向両端側の各接続フランジ部１７，１９に連なる近傍部位を直管状部としている。また、管状体１に、これら軸方向両端側の直管状部同士を接続するように、コーナー部を介して直管状部を設けた構成としている。
【００１４】
また、図３（ｂ）及び図４（ａ）に示すように、管状体１を、略真円状の円筒状とした例を示している。また、管状体１を、軸方向の全体に亘って中心軸（円心）５が略同一平面上に位置する構成としている（図３（ａ）参照）。つまり、管状体１を径方向に仮想的に二等分するように形成した半割仮想面６が軸方向の全体に亘って略平坦面状となる構成とされている。換言すれば、管状体１を、概ね同一平面内において屈曲させた屈曲管状とした例を示している。なお、管状体１としては、上記のような構成とされたものに限られず、１つのみまたは３つ以上のコーナー部を有したものとしたり、半割仮想面６が軸方向の途中部位において屈曲状となるような構成としたりしてもよい。また、管状体１を、楕円筒状や多角筒状とされたものとしてもよい。
【００１５】
また、この管状体１は、合成樹脂製とされている。合成樹脂としては、例えば、フェノール樹脂やエポキシ樹脂、ポリウレタン樹脂等の熱硬化性樹脂でもよく、例えば、ポリエチレンやポリプロピレン、ＡＢＳ、アクリル、ポリカーボネート、ポリアミド、ポリアセタール、ポリフェニレンサルファイド、ポリエーテルエーテルケトン等の熱可塑性樹脂でもよい。また、合成樹脂としては、種々の添加剤が添加されたものでもよく、例えば、炭素繊維やガラス繊維等の強化繊維を含む繊維強化樹脂でもよい。なお、管状体１は、インサート成形等によって一部に金属製の部位を有したものでもよい。
【００１６】
また、本実施形態では、図２に示すように、接続フランジ部１７，１９のうちの少なくともいずれか一方を、２つの半管状部１０，２０のうちのいずれか一方の半管状部としての第１半管状部１０に一体的に設けた構成としている。具体的には、軸方向両端側の接続フランジ部１７，１９を、第１半管状部１０に一体的に設けた構成としている。なお、このような態様に代えて、軸方向一端側の第１接続フランジ部１７を第１半管状部１０に一体的に設け、軸方向他端側の第２接続フランジ部１９を他方の半管状部としての第２半管状部２０に一体的に設けた構成等としてもよい。
これら接続フランジ部１７，１９は、第１半管状部１０の軸方向の各端部の周縁部から径方向に突出するように設けられている。また、これら接続フランジ部１７，１９は、第１半管状部１０の軸方向の各端部の周縁部の全周に亘って設けられたものでもよく、周縁部の一部に設けられたものでもよい。本実施形態では、図３（ａ）に示すように、これら接続フランジ部１７，１９を、これらの厚さ方向（第１半管状部１０の各端部における軸方向（開口方向））に見て、外郭形状が略方形状とされたものとしている。
【００１７】
また、第１接続フランジ部１７に、３つのボルト孔１７ａ，１７ａ，１７ｂを設けた構成としている。また、これらボルト孔１７ａ，１７ａ，１７ｂのうちの少なくとも一つのボルト孔１７ｂを、半割仮想面６に概ね応じた位置またはその近傍部位に設けた構成としている（図４（ａ）参照）。図例では、第１接続フランジ部１７の半割仮想面６に直交する方向の両側の角部のそれぞれにボルト孔１７ａ，１７ａを設け、反第２接続フランジ部側の角部に、半割仮想面６に同一な平面の近傍部位に位置するようにボルト孔１７ｂを設けた構成としている。このボルト孔１７ｂは、後記するように屈曲された第２接合部３を、屈曲させることなく設けて第１接続フランジ部１７側を軸方向に見た場合に、第２接合部３が近接した位置または一部が重なり合う位置となるように設けられている。つまり、このボルト孔１７ｂは、第２接合部３の第１接続フランジ部１７側部位に、後記するような屈曲された部位を設けていない場合には、このボルト孔１７ｂに挿通されるボルト７を締結する工具が第２接合部３に干渉するような位置に設けられている。また、これらボルト孔１７ａ，１７ａ，１７ｂが設けられた第１接続フランジ部１７の角部は、残余の角部と比べて突出するように設けられている。
【００１８】
また、第２接続フランジ部１９に、２つのボルト孔１９ａ，１９ａを設けた構成としている。図例では、第２接続フランジ部１９の半割仮想面６に直交する方向の両側の角部のそれぞれにボルト孔１９ａ，１９ａを設けた構成としている。また、上記同様、これらボルト孔１９ａ，１９ａが設けられた第２接続フランジ部１９の角部は、残余の角部と比べて突出するように設けられている。
なお、これら接続フランジ部１７，１９のボルト孔１７ａ，１７ａ，１７ｂ，１９ａ，１９ａは、インサート成形等によって埋込状に設けられた金属製筒部材によって構成されたものでもよい。
【００１９】
また、２つの半管状部１０，２０の周方向両縁部には、径方向に突出し軸方向に延びる接合突部１２，１３，２２，２３が設けられている。これら半管状部１０，２０は、図３（ｂ）に示すように、半筒状（半円筒状）とされた半管本体部１１，２１の周方向両縁部に、径方向外側に向けて突出させるように接合突部１２，１３，２２，２３を設けた構成とされている。また、これら半管状部１０，２０の周方向両側の接合突部１２，１３，２２，２３が突き合わせられて管状体１の周方向両側に軸方向に延びるように接合部２，３が形成されている。
また、これら半管状部１０，２０の周方向両側のうちの少なくとも一方側のそれぞれの接合突部１３，２３は、これらが突き合わせられて形成される接合部３が接続フランジ部１７のボルト孔１７ｂ近傍の所定範囲においてボルト孔１７ｂに挿通されるボルト７を締結する工具に干渉しないように中心軸５を通る半割仮想面６からずれるように屈曲されている。
【００２０】
管状体１の周方向両側の接合部２，３は、上記のように半割仮想面６からずれるように屈曲された部位を除いて、軸方向の概ね全体に亘って半割仮想面６に応じた位置となるように設けられている。
本実施形態では、軸方向中央部位の直管状部において接続対象側に沿うように設けられた第１接合部２を、軸方向の全体に亘って半割仮想面６に応じた位置となるように設けた構成としている。つまり、この第１接合部２を構成する各半管状部１０，２０の第１接合突部１２，２２は、互いの突き合わせ面が軸方向の全体に亘って半割仮想面６に略一致するように設けられている。
また、軸方向中央部位の直管状部において反接続対象側に沿うように設けられた第２接合部３を、第１接続フランジ部１７の近傍部位において半割仮想面６からずらすように屈曲させた構成としている。つまり、本実施形態では、第１接続フランジ部１７の反第２接続フランジ部側の角部に設けられたボルト孔１７ｂに挿通されるボルト７を締結する工具に干渉しないように、第２接合部３を、第１接続フランジ部１７の近傍部位において半割仮想面６からずらすように屈曲させた構成としている。
【００２１】
この第２接合部３の第１接続フランジ部１７の近傍部位において屈曲された部位は、軸方向中央部位の直管状部の第１接続フランジ部１７側端部から第１接続フランジ部１７側に向けて半割仮想面６から徐々にずれるように設けられている。この第２接合部３における第１接続フランジ部１７近傍において屈曲させる所定範囲は、ボルト孔１７ｂに挿通されるボルト７を締結する工具に第２接合部３が干渉しないように、管状体１の屈曲形状やボルト孔１７ｂの位置等に応じて、適宜の範囲とすればよい。図例では、第２接合部３の第１接続フランジ部１７の近傍部位において屈曲された部位を、ボルト孔１７ｂの軸上（これ挿通されるボルト７の軸上）に位置しないように設けた例を示している。また、この第２接合部３の第１接続フランジ部１７の近傍部位を除いた他の部位は、軸方向の全体に亘って半割仮想面６に応じた位置となるように設けられている。つまり、この第２接合部３を構成する各半管状部１０，２０の第２接合突部１３，２３の屈曲された部位（第１接続フランジ部１７の近傍部位）となるフランジ側部位１４，２４は、互いの突き合わせ面が半割仮想面６から概ね周方向に沿う方向にずれた位置となるように設けられている。また、各半管状部１０，２０の第２接合突部１３，２３のフランジ側部位１４，２４を除く他の部位は、上記同様、互いの突き合わせ面が軸方向の全体に亘って半割仮想面６に略一致するように設けられている。
【００２２】
これら第２接合突部１３，２３のフランジ側部位１４，２４は、図４に示すように、２つの半管状部１０，２０のうちの一方の半管状部としての第１半管状部１０の周方向縁部を他の部位よりも接線方向に延出させ、かつ他方の半管状部としての第２半管状部２０の周方向縁部を他の部位よりも周方向に凹ませるようにして形成されている。つまり、第１半管状部１０のフランジ側部位１４は、半管本体部１１の第２接合突部１３側の縁部を半割仮想面６に直交する方向となる接線方向に延出させた延出部位１５に設けられている。この延出部位１５は、接線方向への延出寸法が軸方向中央部位の直管状部を構成する部位の第１接続フランジ部１７側端部から第１接続フランジ部１７側に向けて徐々に大きくなるように形成されている。また、この延出部位１５は、接線方向に延出されているため、その内周面が他の部位の内周面と同様な円筒内周面状の凹湾曲面とならずに、軸方向に見て平坦面状とされている。また、第２半管状部２０のフランジ側部位２４は、半管本体部２１の第２接合突部２３側の縁部を上記のように延出された第１半管状部１０の延出部位１５に対応させて周方向に凹ませた部位に設けられている。また、これら各半管状部１０，２０のフランジ側部位１４，２４を、互いの突き合わせ面が半割仮想面６と平行状となるように設けた構成としている。
【００２３】
また、本実施形態では、第２半管状部２０の凹ませられた周方向縁部の内周側に、第１半管状部１０の延出部位１５の内周面に沿うように配され、かつこれら半管状部１０，２０の他の部位の内周面に連なるような内周面を構成する突片部２５を設けた構成としている。この突片部２５は、第２半管状部２０の半管本体部２１の凹ませられた縁部から概ね周方向に突出するように設けられている。また、この突片部２５は、突出方向先側に向かうに従い先細状とされている。この突片部２５の外周面は、半管状部１０，２０同士が接合された状態で、上記のように平坦面状とされた延出部位１５の内周面に当接または近接するように軸方向に見て平坦面状とされている。また、この突片部２５の内周面は、第２半管状部２０の半管本体部２１の他の部位の内周面と同様な円筒内周面状の凹湾曲面とされている。また、この突片部２５は、突出方向先端部が概ね半割仮想面６に位置するように設けられている。また、この突片部２５は、縁部からの突出寸法が軸方向中央部位の直管状部を構成する部位の第１接続フランジ部１７側端部から第１接続フランジ部１７側に向けて徐々に大きくなるように形成されている。
【００２４】
また、本実施形態では、各半管状部１０，２０の接合突部１２，１３，２２，２３の突き合わせ面に、互いに向き合う方向に向けて開口する接合樹脂充填溝１２ａ，１３ａ，２２ａ，２３ａを軸方向に延びるように設けた構成としている。本実施形態では、これら半管状部１０，２０を、これらの接合樹脂充填溝１２ａ，１３ａ，２２ａ，２３ａに充填された接合樹脂（二次樹脂）４を介して接合された構成としている。なお、この接合樹脂４は、上記同様の種々の樹脂としてもよく、半管状部１０，２０を構成する樹脂組成物と同一の構成とされたものでもよく、異なる構成とされたものでもよい。また、各接合突部１２，１３，２２，２３の突き合わせ面の接合樹脂充填溝１２ａ，１３ａ，２２ａ，２３ａの内周側に、互いに係合して位置ずれや接合樹脂４の内周側への漏れを抑制する係止突条及び係止溝を設けた構成としてもよい。
【００２５】
第１半管状部１０の軸方向両端部には、図２に示すように、両端側の各接続フランジ部１７，１９に連なるように短筒部（短円筒部）１１ａ，１１ａが設けられている。つまり、本実施形態では、第１半管状部１０の半管本体部１１を軸方向の全体に亘って半筒状（半円筒状）とせずに、軸方向両端部に短筒部（短円筒部）１１ａ，１１ａを設けた構成としている。これら軸方向両側の短筒部１１ａ，１１ａと半筒状（半円筒状）部位との境界部となる短筒部１１ａ，１１ａの露出する周縁部には、径方向外側に向けて突出する鍔状部１６，１８が周方向に延びるように設けられている。
第１接続フランジ部１７側の鍔状部１６は、周方向一端部が第１接合突部１２に連なるように設けられ、周方向他端部が第２接合突部１３のフランジ側部位１４に連なるように設けられている。第２接続フランジ部１９側の鍔状部１８は、周方向一端部が第１接合突部１２に連なるように設けられ、周方向他端部が第２接合突部１３に連なるように設けられている。
【００２６】
第２半管状部２０の半管本体部２１は、第１半管状部１０とは異なり、軸方向の全体に亘って半筒状（半円筒状）とされている。この第２半管状部２０の軸方向両端部には、径方向外側に向けて突出する鍔状部２６，２８が周方向に延びるように設けられている。第１接続フランジ部１７側の鍔状部２６は、周方向一端部が第１接合突部２２に連なるように設けられ、周方向他端部が第２接合突部２３のフランジ側部位２４に連なるように設けられている。この第２半管状部２０の第１接続フランジ部１７側の鍔状部２６と第１半管状部１０の第１接続フランジ部１７側の鍔状部１６とが突き合わせられて軸方向一端側の接合部を構成する。第２接続フランジ部１９側の鍔状部２８は、周方向一端部が第１接合突部２２に連なるように設けられ、周方向他端部が第２接合突部２３に連なるように設けられている。この第２半管状部２０の第２接続フランジ部１９側の鍔状部２８と第１半管状部１０の第２接続フランジ部１９側の鍔状部１８とが突き合わせられて軸方向他端側の接合部を構成する。
【００２７】
なお、これら半管状部１０，２０の各鍔状部１６，２６，１８，２８の突き合わせ面に、上記のような接合樹脂４が充填される接合樹脂充填溝を設けた構成としてもよい。または、これら半管状部１０，２０の各鍔状部１６，２６，１８，２８の突き合わせ面間に接合樹脂４が充填される隙間が形成される構成としてもよい。
また、上記のような構成とされた管状体１は、半管状部１０，２０を一次成形品としてそれぞれ成形した後に、一方を他方に対してスライドさせて、軸方向両端部の接合部及び周方向両側の接合部２，３に沿うように接合樹脂（二次樹脂）４を充填して成形する、いわゆるＤＳＩ（ダイスライドインジェクション）成形等によって成形されたものでもよい。また、管状体１を構成する半管状部１０，２０同士は、二次樹脂としての接合樹脂４を介して接合されたものに限られず、接着剤や、熱板溶着、振動溶着、超音波溶着、レーザー溶着等の種々の接合態様によって接合されたものでもよい。
【００２８】
本実施形態に係る管状体１は、上述のような構成としたことで、径方向に分割された半管状部１０，２０同士を接合する軸方向に延びる接合突部１２，１３，２２，２３を設けながらも、接続フランジ部１７のボルト孔１７ｂに挿通されるボルト７の締結性を向上させることができる。
つまり、径方向に分割された２つの半管状部１０，２０の周方向両縁部に設けられた接合突部１２，１３，２２，２３同士が突き合わせられて接合部２，３が形成されるので、このような接合突部１２，１３，２２，２３を設けていないものと比べて接合強度を向上させることができる。
【００２９】
また、これら半管状部１０，２０の第２接合突部１３，２３の第１接続フランジ部１７側の部位を、上記のように屈曲させたフランジ側部位１４，２４としている。従って、各半管状部１０，２０の成形性の観点等から設定される金型の分割面（パーティングライン）、つまり、半管状部１０，２０同士の半割仮想面６に概ね応じた位置やその近傍部位に第１接続フランジ部１７のボルト孔１７ｂを設けた場合にも、第１接続フランジ部１７を接続対象に接続するボルト７を締結する際に、フランジ側部位１４，２４に工具が干渉し難くなり、締結性を向上させることができる。換言すれば、接続対象との関係で定められる第１接続フランジ部１７のボルト孔１７ｂの軸上に第２接合部３が位置しないように、各半管状部１０，２０の成形性の観点等から第２接合部３を軸方向の全体に亘って周方向にずらし難いような場合にも、第１接続フランジ部１７のボルト孔１７ｂ近傍の所定範囲の第２接合部３を他の部位から屈曲させてずらすことで対応することができる。
【００３０】
また、本実施形態では、第２接合突部１３，２３のフランジ側部位１４，２４を、２つの半管状部１０，２０のうちの第１半管状部１０の周方向縁部を他の部位よりも接線方向に延出させ、かつ第２半管状部２０の周方向縁部を他の部位よりも周方向に凹ませるようにして形成している。従って、第２接合突部１３，２３を上記のように屈曲させた構成としながらも、半割より大となる第１半管状部１０の成形性を向上させることができる。
また、第２半管状部２０の凹ませられた周方向縁部の内周側に、第１半管状部１０の接線方向に延出された延出部位１５の内周面に沿うように配され、かつこれら半管状部１０，２０の他の部位の内周面に連なるような内周面を構成する突片部２５を設けた構成としている。従って、第１半管状部１０における接線方向に延出されて他の部位よりも拡径部となる延出部位１５の内周側部位を、第２半管状部２０に設けられた突片部２５によって埋めることができ、管状体１内において圧力損失が生じるようなことを抑制することができる。
【００３１】
また、本実施形態では、軸方向両端側の接続フランジ部１７，１９を、第１半管状部１０に一体的に設けた構成としている。従って、半管状部１０，２０同士の接合部２，３が接続フランジ部１７，１９に位置しないので、接続フランジ部１７，１９の接続対象側に向く面における段差等の発生を抑制することができる。
なお、本実施形態では、半管状部１０，２０の第２接合突部１３，２３の第１接続フランジ部１７側の部位を屈曲させた構成としているが、接続フランジ部１７，１９に設けられるボルト孔の位置等に応じて、他の部位を屈曲させた構成としてもよい。
また、本実施形態に係る管状体１を構成する各半管状部１０，２０及びこれらが接合されて形成される接合部２，３としては、上記のような構成とされたものに限られず、その他、種々の変形が可能である。例えば、上記のような突片部２５を設けていない構成としてもよい。また、２つの半管状部１０，２０が軸方向両端側の接続フランジ部１７，１９において分割されたようなものでもよい。この場合、例えば、上記のような短筒部１１ａ，１１ａを第１半管状部１０の軸方向両端部に設けずに、軸方向両端側の鍔状部１６，１８を接続フランジ部１７，１９に一体的に設けた構成としてもよい。または、軸方向両端側の鍔状部１６，１８を接続フランジ部１７，１９の一部によって構成してもよい。つまり、第１半管状部１０及び第２半管状部２０を、接続フランジ部１７，１９において軸方向（接続フランジ部厚さ方向）に分割されたものとしてもよい。または、第１半管状部１０及び第２半管状部２０を、接続フランジ部１７，１９において径方向に分割されたものとしてもよく、その他、種々の変形が可能である。
【符号の説明】
【００３２】
１      管状体
２      第１接合部（接合部）
３      第２接合部（接合部）
５      中心軸
６      半割仮想面
７      ボルト
１０    第１半管状部（半管状部）
１２    第１接合突部（接合突部）
１３    第２接合突部（接合突部）
１４    フランジ側部位（屈曲された部位）
１５    延出部位（延出された部位）
１７    第１接続フランジ部（接続フランジ部）
１７ｂ  ボルト孔
２０    第２半管状部（半管状部）
２２    第１接合突部（接合突部）
２３    第２接合突部（接合突部）
２４    フランジ側部位（屈曲された部位）
２５    突片部
【図１】
2018054059.tif 000003
【図２】
2018054059.tif 000004
【図３】
2018054059.tif 000005
【図４】
2018054059.tif 000006